(57)【要約】【課題】本発明は、給紙段数よりも多い種類の用紙を用いる印刷ジョブを処理する際に、ユーザの負荷を低減する情報処理装置を提供する。【解決手段】印刷装置の給紙段の情報を取得し、印刷ジョブの印刷において用いられる用紙の種類が、印刷装置の給紙段の数より多いかを判定する。用紙の種類が印刷装置の給紙段の数より多いと判定された場合、パラメータについて一定の範囲を同一とみなすように予め定められた条件に基づいて、同一とみなされたパラメータを有する用紙を一つのセットとして特定する。丁合装置の各給紙段に配置された複数種類の用紙から、特定された一つのセットを丁合装置の１つの排紙段に排紙するための丁合ジョブを生成して丁合装置に送信する。【選択図】図１
2011198119.tif 000002
【特許請求の範囲】
【請求項１】
少なくとも１つのパラメータにより種類分けされる複数種類の用紙を丁合い可能な丁合装置と、印刷ジョブを処理して印刷する印刷装置とに接続可能な情報処理装置であって、
印刷ジョブを生成する印刷ジョブ生成手段と、
前記印刷装置の給紙段の情報を取得する取得手段と、
前記印刷ジョブの印刷において用いられる用紙の種類が、前記印刷装置の前記給紙段の数より多いか否かを判定する判定手段と、
前記判定手段により前記用紙の種類が前記印刷装置の前記給紙段の数より多いと判定された場合に、前記パラメータについて一定の範囲を同一とみなすように予め定められた条件に基づいて、前記複数種類の用紙のうち同一とみなされたパラメータを有する用紙を一つのセットとして特定する特定手段と、
前記丁合装置の各給紙段に設置された前記複数種類の用紙から前記特定手段により特定された前記一つのセットを前記丁合装置の１つの排紙段に排紙するための丁合ジョブを生成する丁合ジョブ生成手段と、
前記丁合ジョブ生成手段により生成された丁合ジョブを前記丁合装置に送信する第１の制御手段と
を備えることを特徴とする情報処理装置。
【請求項２】
前記取得手段により取得される前記給紙段の情報は、給紙段の数と各給紙段が給紙することができる用紙のサイズとを少なくとも含むことを特徴とする請求項１に記載の情報処理装置。
【請求項３】
前記取得手段により前記給紙段の情報を取得した場合、前記印刷装置の１つの給紙段と前記特定手段により特定された前記一つのセットとを対応させたテーブルを生成するテーブル生成手段と、
前記丁合ジョブ生成手段により生成された前記丁合ジョブに従って、前記丁合装置の前記各給紙段に用紙を設置する旨の指示をユーザに表示する第１の表示手段と、
前記テーブル生成手段により生成された前記テーブルに従って、前記丁合装置の各排紙段に排紙された前記一つのセットを前記印刷装置の前記各給紙段に設置する旨の指示をユーザに表示する第２の表示手段と、
前記印刷ジョブおよび前記テーブルを前記印刷装置に送信し、前記印刷装置に前記印刷ジョブを実行させる第２の制御手段と
をさらに備えることを特徴とする請求項２に記載の情報処理装置。
【請求項４】
前記用紙のパラメータとは、用紙の坪量であることを特徴とする請求項１乃至３のいずれか１項に記載の情報処理装置。
【請求項５】
少なくとも１つのパラメータにより種類分けされる複数種類の用紙を丁合い可能な丁合装置と、印刷ジョブを処理して印刷する印刷装置とに接続可能な情報処理装置の制御方法であって、
前記情報処理装置の印刷ジョブ生成手段が、印刷ジョブを生成する印刷ジョブ生成工程と、
前記情報処理装置の取得手段が、前記印刷装置の給紙段の情報を取得する取得工程と、
前記情報処理装置の判定手段が、前記印刷ジョブの印刷において用いられる用紙の種類が、前記印刷装置の前記給紙段の数より多いか否かを判定する判定工程と、
前記情報処理装置の特定手段が、前記判定工程において前記用紙の種類が前記印刷装置の前記給紙段の数より多いと判定された場合に、前記パラメータについて一定の範囲を同一とみなすように予め定められた条件に基づいて、前記複数種類の用紙のうち同一とみなされたパラメータを有する用紙を一つのセットとして特定する特定工程と、
前記情報処理装置の丁合ジョブ生成手段が、前記丁合装置の各給紙段に設置された前記複数種類の用紙から、前記特定工程において特定された前記一つのセットを前記丁合装置の１つの排紙段に排紙するための丁合ジョブを生成する丁合ジョブ生成工程と、
前記情報処理装置の第１の制御手段が、前記丁合ジョブ生成工程において生成された丁合ジョブを前記丁合装置に送信する第１の制御工程と
を備えることを特徴とする情報処理装置の制御方法。
【請求項６】
少なくとも１つのパラメータにより種類分けされる複数種類の用紙を丁合い可能な丁合装置と、印刷ジョブを処理して印刷する印刷装置とに接続可能なコンピュータを、
印刷ジョブを生成する印刷ジョブ生成手段、
前記印刷装置の給紙段の情報を取得する取得手段、
前記印刷ジョブの印刷において用いられる用紙の種類が、前記印刷装置の前記給紙段の数より多いか否かを判定する判定手段、
前記判定手段により前記用紙の種類が前記印刷装置の前記給紙段の数より多いと判定された場合に、前記パラメータについて一定の範囲を同一とみなすように予め定められた条件に基づいて、前記複数種類の用紙のうち同一とみなされたパラメータを有する用紙を一つのセットとして特定する特定手段、
前記丁合装置の各給紙段に設置された前記複数種類の用紙から、前記特定手段により特定された前記一つのセットを前記丁合装置の１つの排紙段に排紙するための丁合ジョブを生成する丁合ジョブ生成手段、
前記丁合ジョブ生成手段により生成された丁合ジョブを前記丁合装置に送信する第１の制御手段
として機能させるプログラム。
【発明の詳細な説明】
【技術分野】
【０００１】
本発明は、印刷ジョブを制御する情報処理装置、情報処理装置の制御方法、及び、プログラムに関する。
【背景技術】
【０００２】
プリント・オン・デマンドと言われるＰＯＤ系印刷には、バリアブルデータ印刷のような顧客毎に異なる内容の印刷や、サブセット・フィニッシングのような印刷や、異種の用紙が混載された印刷ジョブを扱う印刷等がある。その中でも、異種の用紙が混載された印刷ジョブを扱う印刷には、例えば、請求書と広告とをセットにして印刷する場合が当てはまる。また、オフセット印刷とＰＯＤを併用したハイブリッド・ワークフローのような場合もあり、普通紙の他、プレ・プリント紙等、多種類の用紙が必要とされる。
【０００３】
特許文献１には、印刷ジョブにおいて用いられる用紙を複数種類から選択する方法が記載されている。特許文献１には、コンピュータ上にページ丁合いテーブルを生成し、そのページ丁合いテーブルに印刷物の各ページに関する情報（ページ単位情報）を格納する。そのページ単位情報には、印刷内容が格納されたファイル名及びそのページの印刷に用いられる用紙が装填された給紙段番号が含まれている。コンピュータは、生成されたページ丁合いテーブルを参照しながら、各ページの印刷内容と給紙段番号を印刷装置に送信する。
【０００４】
また、特許文献２には、一つの給紙段に複数種類の用紙をセットしておき、そのセットされた用紙の種類及び順序に従って、印刷ジョブの順序を制御する構成が記載されている。
【先行技術文献】
【特許文献】
【０００５】
【特許文献１】特開平１１−１９８４８７号公報
【特許文献２】特開２００５−２１６０８８号公報
【発明の概要】
【発明が解決しようとする課題】
【０００６】
しかしながら、印刷時に使用される用紙の種類が給紙段数を超える場合がある。特許文献１において、通常一つの給紙段に入れられる用紙は１種類であるので、予め給紙段に設置されている用紙と異なる種類の用紙が必要とされた場合には、いずれかの給紙段の用紙を、必要とする用紙に入れ替えなければならない。従って、用紙の入替えにおける確認作業等、ユーザへの負担が大きい。
【０００７】
特許文献２では、印刷ジョブの順序に従って、複数種類の用紙が予めソートされている。しかしながら、そのような用紙のソートを手作業で行なわなければならず、やはりユーザへの負担が大きい。
【０００８】
本発明の目的は、このような従来の問題点を解決することにある。上記の点に鑑み、本発明は、給紙段数よりも多い種類の用紙を用いる印刷ジョブを処理する際に、ユーザの負荷を低減する情報処理装置、情報処理装置の制御方法、及び、プログラムを提供することを目的とする。
【課題を解決するための手段】
【０００９】
上記課題を解決するため、本発明に係る情報処理装置は、少なくとも１つのパラメータにより種類分けされる複数種類の用紙を丁合い可能な丁合装置と、印刷ジョブを処理して印刷する印刷装置とに接続可能な情報処理装置であって、
印刷ジョブを生成する印刷ジョブ生成手段と、
前記印刷装置の給紙段の情報を取得する取得手段と、
前記印刷ジョブの印刷において用いられる用紙の種類が、前記印刷装置の前記給紙段の数より多いか否かを判定する判定手段と、
前記判定手段により前記用紙の種類が前記印刷装置の前記給紙段の数より多いと判定された場合に、前記パラメータについて一定の範囲を同一とみなすように予め定められた条件に基づいて、前記複数種類の用紙のうち同一とみなされたパラメータを有する用紙を一つのセットとして特定する特定手段と、
前記丁合装置の各給紙段に設置された前記複数種類の用紙から前記特定手段により特定された前記一つのセットを前記丁合装置の１つの排紙段に排紙するための丁合ジョブを生成する丁合ジョブ生成手段と、
前記丁合ジョブ生成手段により生成された丁合ジョブを前記丁合装置に送信する第１の制御手段とを備えることを特徴とする。
【発明の効果】
【００１０】
本発明によると、給紙段数よりも多い種類の用紙を用いる印刷ジョブを処理する際に、ユーザの負荷を低減することができる。
【図面の簡単な説明】
【００１１】
【図１】印刷システムの構成を示す図である。
【図２】印刷ジョブを説明するための図である。
【図３】用紙データベースに登録されている用紙情報を示す図である。
【図４】画像形成制御を行なうためのパラメータの一例を示す図である。
【図５】用紙セットの一例を示す図である。
【図６】プリンタの給紙段情報の一例を示す図である。
【図７】用紙セットと給紙段情報に基づく用紙情報の一例を示す図である。
【図８】第１の実施例における印刷ジョブの処理の手順を示すフローチャートである。
【図９】印刷装置に送信する印刷ジョブチケットの一例を示す図である。
【図１０】更新された印刷ジョブチケットの一例を示す図である。
【図１１】丁合装置に送信する印刷ジョブチケットの一例を示す図である。
【図１２】丁合装置に用紙を設置する旨を指示する画面の一例を示す図である。
【図１３】丁合装置から印刷装置に用紙を移動する旨を指示する画面の一例を示す図である。
【図１４】第２の実施例における丁合装置から印刷装置に用紙を移動する旨を指示する画面の一例を示す図である。
【図１５】本実施例における印刷ジョブの処理の手順を示すフローチャートである。
【図１６】本実施例における用紙情報の一例を示す図である。
【発明を実施するための形態】
【００１２】
以下、添付図面を参照して本発明の好適な実施例を詳しく説明する。尚、以下の実施例は特許請求の範囲に係る本発明を限定するものでなく、また本実施例で説明されている特徴の組み合わせの全てが本発明の解決手段に必須のものとは限らない。なお、同一の構成要素には同一の参照番号を付して、説明を省略する。
【００１３】
［実施例１］
［印刷システム全体の構成］
図１は、本発明に係る実施例における印刷システムの構成の一例を示す図である。図１（ａ）に示すように、印刷システムは、ジョブ制御部８を含む情報処理装置１と、丁合装置２と、印刷装置３とを含む。情報処理装置１は、ＣＰＵやＲＯＭ、ＲＡＭ、キーボード等の入力部、ディスプレイ等の表示部を含む、例えば汎用的なＰＣである。ここで、丁合装置２は、情報処理装置１とオンラインで接続可能であるが、印刷装置３とは分離されている。つまり、オペレータ等が、丁合装置２により丁合いされた用紙を印刷装置３に運ぶ
。そして、印刷装置３は、運ばれてきた用紙を用いて印刷する。丁合装置２は、情報処理装置１のジョブ制御部８の指示に従って、用紙４を所定の順序で並べ替え、並び替えられた用紙の集合である用紙セット５を特定して出力する。印刷装置３は、情報処理装置１のジョブ制御部８の指示に従って、印刷ジョブを処理し、用紙セット５を給紙して印刷結果６を出力する。オペレータ７は、情報処理装置１のジョブ制御部８に表示される指示に従って、用紙４を丁合装置２へ設置し、用紙セット５を印刷装置３へ運んで、設置する。
【００１４】
印刷装置３は、印刷設定情報が記述されたジョブチケットとコンテンツデータとから構成される印刷ジョブを処理する。印刷装置３は、情報処理装置１から印刷ジョブを受信して処理する。印刷装置３は、印刷ジョブのジョブチケットに従って、指定された給紙段から用紙を給紙して印刷を行う。印刷装置３には、予め、給紙段に関連付けられた用紙情報が登録されている。印刷装置３は、印刷の際に、その登録された用紙情報に従って、印刷における用紙の画像形成制御を行う。用紙情報の登録は、印刷装置３の本体に設置された操作パネルで行うことも、また、接続された情報処理装置１のジョブ制御部８からの指示によって行うこともできる。また、印刷ジョブのジョブチケットに用紙の種類が指定されている場合、印刷装置３は、給紙段に関連付けて登録された用紙情報に従って、適切な給紙段から該当する種類の用紙を給紙する。いずれの給紙段にも適切な用紙が登録されていない場合には、オペレータ７は、印刷装置３の操作パネルのガイドに従って用紙を交換する。通常、給紙段の数を超える種類の用紙を使うことを要求する印刷ジョブを処理する場合に、そのような交換操作が行なわれる。丁合装置２は、丁合ジョブのジョブチケットを受信し、ジョブチケットに指定された順序に従って、用紙の並べ替えを行い、並び替えられた用紙の集合である用紙セットを生成する。
【００１５】
図１（ｂ）は、情報処理装置１のジョブ制御部８内の構成を示すブロック図である。ジョブ制御部８は、ジョブ生成部１４により印刷ジョブを生成して印刷装置３に送信する。また、ジョブ制御部８は、必要ならば、丁合装置２が丁合処理を行うように制御する。コンテンツ生成部１２は、イメージデータやＰＤＬデータ、ＶＤＰデータ等の印刷対象であるコンテンツデータを生成し、ジョブ生成部１４に出力する。その際に、ユーザによるファイルの選択等がユーザインタフェース１８を介して行われる場合もある。印刷設定部１３は、ユーザインタフェース１８を介して受け付けた印刷ジョブに設定する印刷設定をジョブ生成部１４に送信する。用紙指定部１１は、ユーザによる用紙選択をユーザインタフェース１８を介して受け付け、印刷設定部１３と連携して、用紙データベース１０に登録されている用紙から、印刷処理において用いられる用紙をシート単位で指定する。また、用紙指定部１１は、ユーザインタフェース１８を介して受け付けた新規の用紙について用紙データベース１０に新たに登録する。
【００１６】
ジョブ生成部１４は、コンテンツ生成部１２、印刷設定部１３及び用紙指定部１１からの情報に従って、印刷ジョブを生成する。ジョブ生成部１４は、通信部１５を介して印刷装置３から、印刷装置３に備えられた給紙段の情報を取得する。ジョブ生成部１４は、その給紙段の情報から、丁合装置２による用紙セットの生成が必要か否かを判定する。ここで、用紙セットの生成が必要であると判定された場合に、用紙セット生成部１９は、用紙データベース１０に登録されている用紙を用いて用紙セットを生成する。ジョブ生成部１４は、印刷ジョブ及び用紙セットの情報に従って、通信部１５を介して印刷装置３に印刷ジョブで用いる用紙情報（給紙段に関連付けられた用紙セット）を登録する。第１ジョブチケット生成部１６は、印刷ジョブ及び用紙セットの情報に基づいて、印刷装置３用の印刷ジョブチケットを生成する。また、第２ジョブチケット生成部１７は、用紙セットの情報に基づいて、丁合装置２用のジョブチケットを生成する。ジョブ生成部１４は、通信部１５を介して、各ジョブチケットを丁合装置２及び印刷装置３に送信する。また、ジョブ生成部１４は、ジョブチケットを送信した際に、丁合装置２及び印刷装置３のオペレータに対する操作指示をユーザインタフェース１８に表示する。
【００１７】
［印刷ジョブの例］
図２は、本実施例における印刷ジョブの出力を示す図である。本実施例においては、部数単位に印刷内容が異なるＶＤＰ印刷ジョブを一例として説明する。一つの印刷ジョブにより、複数レコード（複数部数）の印刷が行われる。ここで、各レコードにおいて、その印刷内容は異なるが、用いる用紙や、ステープル、穴開け等の後処理については全てのレコードで同じであるとする。出力１００は、左から右に向かって、出力された用紙の様子を示す。また、ページ１０１は、出力１００に対応するページを表している。つまり、ページ１０１の各ページのコンテンツデータが、各用紙の面に印刷される。図２において、印刷内容は省略しているが、上述のコンテンツデータに従った印刷が行われる。出力１１０は、１レコード目（１部目）の出力を示す。出力１１１は、２レコード目の一部を示しており、２レコード目以降も１レコード目と同様の体裁で、出力が繰り返される。本実施例においては、図２に示すように、１レコードについて１２枚の用紙を用いる。出力１１２は、１レコードの印刷出力に対して２枚目から１２枚目までをパンチ処理していることを示す。さらに、出力１１３は、２枚目から５枚目を左上角でステープル処理していることを示す。また、出力１１４は、７枚目から１０枚目を左上角でステープル処理していることを示す。また、出力１１５は、１０枚目をＺ折り処理していることを示す。ページ１０１に示すように、本実施例において、１レコードにつき１９ページのコンテンツデータが対応している。また、Ａ３Ｚ折りのように、一部、指定されるページサイズが他のページサイズと異なっている。例えば、１５ページ目はＡ３横向きとして指定されており、その他のページはＡ４縦向きとして指定されている。給紙される用紙サイズは、指定されたページサイズにそれぞれ適応している。２レコード目以降も１レコード目と同様の体裁で、印刷内容が異なった出力が繰り返される。
【００１８】
［用紙情報］
図３は、用紙データベース１０に登録されている用紙情報の一例を示す図である。図３において、第１列目は用紙の種類を識別する識別子を示す。第２列目は、ユーザが用紙の種類を識別するためにユーザインタフェース１８を介して入力した登録名称である。第３列目は、用紙の坪量（ｇ／ｍ２）を示す。第４列目は、用紙の形状を示す。本実施例において、用紙の形状には、通常の矩形形状である「カット紙」、タブ形状の「タブ付」、予め穴が開けられている「パンチ紙」等の種類がある。第５列目は、用紙の表面の状態を示す。本実施例においては、例えば、表面のコーティングがされていない「コート無し」、光沢コーティングが施されている「表面光沢」「裏面光沢」「両面光沢」等の種類がある。第６列目は、用紙のサイズを示す。第７列目は、用紙のブランド名を示す。例えば、ユーザが用紙を購入した際の用紙の種類を識別するための名称である。第８列目は、用紙の色を示す。第９列目は、プレプリント用紙か否かの種別を示す。第１０列目は、用紙の厚み（μｍ）を示す。図２に示す１レコード分の印刷に使用される１２枚の用紙は、図３に示すＩＤを用いて、「３、５、６、１、８、９、１０、１、１、２、４、７」と表すことができる。印刷装置３は、坪量、形状、表面性、用紙サイズの４つのパラメータにより、印刷処理における画像形成制御を切り替える。つまり、印刷装置における印刷に用いられる用紙は、それらのパラメータの値により種類分けされる。また、坪量については、図４に示すテーブルの（第１のテーブルの一例）ように、所定の一定範囲内の坪量であるならば、同じ画像形成制御を行う。なお、第１のテーブルは、用紙をセットに分類するための条件となる。例えば、図４に示すように、８０〜９９ｇ／ｍ２の坪量の用紙は８０ｇ／ｍ２として扱う。従って、印刷装置３は、坪量が異なっていても形状、表面性、用紙サイズのパラメータが同じであれば、同じプロセスにより画像形成制御を実行できる。用紙セット生成部１９は、上記のパラメータに従って、用紙データベース１０に登録された用紙一覧から用紙セットを生成する。
【００１９】
［用紙セット情報］
図５は、用紙セット生成部１９により、図３に示す用紙情報及び図２に示す印刷ジョブに基づいて生成された用紙セットの一例を示す図である。第１列目は、用紙セットを識別する識別子を示す。第２列目は、ユーザが用紙セットの登録時に用紙セットを識別するための登録名称である。本実施例においては、例えば、用紙セットのパラメータの値を連結して名称を自動作成している。第３列目は、用紙の坪量（ｇ／ｍ２）を示す。この値は、図４に示す坪量分類の値であるため、実際の坪量は異なることもある。第４列目は、用紙の形状を示す。第５列目は、用紙の表面の状態を示す。第６列目は、用紙のサイズを示す。第７列目は、印刷ジョブの印刷に用いられる用紙のＩＤを示している。第７列目は、図３に示す用紙データベース１０に登録された用紙のＩＤを、図２に示す印刷ジョブにより指定された順番で記述される。ジョブ生成部１４は、図５に示す用紙セットを印刷装置３の給紙段に対応させて印刷装置３に登録する。その登録を行なうために、ジョブ生成部１４は、印刷装置３から、印刷装置３に備えられた給紙段の情報を取得する。印刷装置３は、情報処理装置１からの要求に応じて、印刷装置３に備えられた給紙段情報を返信する。
【００２０】
［給紙段情報］
図６は、印刷装置３が情報処理装置１からの要求に応じて返信した印刷装置３の給紙段情報の一例を示す図である。図６に示すように、印刷装置３は、６つの給紙段を備えている。また、情報処理装置１は、図６に示す情報から、印刷装置３の各給紙段についての用紙制限等の情報を認識することができる。第１列目は、給紙段の名称を示す。印刷ジョブのジョブチケットにおいて、給紙段名称を指定することで、情報処理装置１のジョブ制御部８は、印刷装置３に備えられた所定の給紙段を選択し、その給紙段から用紙を給紙させることができる。第２列目は、その給紙段がタブ紙に対応しているか否かを示す。ここで、「Ｙｅｓ」と指定されている給紙段には、タブ紙を設置して給紙することができることを示す。「Ｎｏ」と指定されている給紙段には、タブ紙を設置して給紙することができないことを示す。第３列目は、対応している用紙サイズを示す。本実施例においては、所定のサイズを境界として、Ａ４やレターサイズ等の小サイズと、Ａ３や台帳（Ｌｅｄｇｅｒ）サイズ等の大サイズとを区別する。ここで、「Ｙｅｓ」と指定されている給紙段には、大サイズも含めて任意のサイズの用紙を給紙可能であることを示す。「Ｎｏ」と指定されて給紙段には、小サイズの用紙のみを給紙可能であることを示す。第４列目は、その給紙段から給紙された用紙に最初に印刷される面が表裏のいずれであるかを示す。これは、例えば、プレプリント紙の場合に、所定の面に印刷するように制御するための情報である。ジョブ生成部１４は、図５に示す用紙セットの情報と図６に示す印刷装置３の給紙段情報とから、図７に示す印刷装置３の各給紙段に対応させた用紙セット登録情報を生成する。
【００２１】
［用紙セット登録情報］
図７は、印刷装置３に登録する用紙セット登録情報の一例を示す図である。図７に示すテーブル（第２のテーブルの一例）により、印刷装置３の各給紙段と各用紙セットとが対応付けられる。第１列目は、各給紙段の名称を示す。第２列目は、給紙段に対応付けて登録する用紙セットの識別子を示す。第３列目は、登録する用紙セットの名称である。第４列目は、登録する用紙セットの坪量を示す。第５列目は、登録する用紙セットの形状を示す。第６列目は、登録する用紙セットの表面性を示す。第７列目は、登録する用紙セットのサイズを示す。つまり、図７の第２列目〜第７列目は、図５に示す第１列目〜６列目と同じである。図７に示すような情報を印刷装置３に登録することにより、印刷装置３は、所定の給紙段から給紙される用紙セットに応じて、用紙搬送や適切な画像形成制御を行うことができる。
【００２２】
［印刷ジョブの処理］
図８は、情報処理装置１のジョブ制御部８における印刷ジョブの処理の手順を示すフローチャートである。図８に示す処理は、例えば、情報処理装置１に搭載されたＣＰＵにより実行される。ジョブ生成部１４は、コンテンツ生成部１２から出力されたコンテンツデータと印刷設定部１３から出力された印刷設定とに基づいて印刷ジョブを生成する（Ｓ１００１）。用紙指定部１１は、用紙データベース１０から図３に示すような用紙情報を取得する（Ｓ１００２）。用紙指定部１１は、取得した用紙情報に基づいて、生成された印刷ジョブのページごとに用紙種を指定する（Ｓ１００３）。第１ジョブチケット生成部１６は、ページごとに指定された用紙種に従って、印刷装置３に送信するための印刷ジョブチケットを生成する（Ｓ１００４、印刷ジョブ生成の一例）。
【００２３】
次に、ジョブ生成部１４は、通信部１５を介して、印刷装置３から印刷装置３に備えられた給紙段の情報を取得する（Ｓ１００５）。この給紙段の情報とは、図６に示すような情報である。また、ジョブ生成部１４は、図４に示すような坪量分類の情報を取得する（Ｓ１００６）。
【００２４】
次に、ジョブ生成部１４は、生成された印刷ジョブの処理において、丁合装置２を用いるか否かを判定する（Ｓ１００７）。本実施例において、ジョブ生成部１４は、生成された印刷ジョブによる印刷において用いられる用紙種の数が、印刷装置３の給紙段数よりも多い場合に、丁合装置２を用いると判定し、Ｓ１００８に進む。一方、生成された印刷ジョブによる印刷において用いられる用紙種の数が、印刷装置３の給紙段数以下である場合に、Ｓ１０２９に進む。
【００２５】
次に、用紙セット生成部１９は、印刷ジョブで指定されている用紙種のうち、用紙セットとして分類されていない用紙種があるか否かを判定する（Ｓ１００８）。ここで、用紙セットとして分類されていない用紙種があると判定された場合には、Ｓ１０１９に進む。一方、ないと判定された場合には、Ｓ１００９に進む。次に、用紙セットとして分類されていない用紙種のうち、一つを対象とする。ここで、対象とされた用紙種を用紙種Ｐとする（Ｓ１００９）。Ｓ１０１０において、まだ用紙種Ｐとの比較が行なわれていない用紙セットがあるか否かを判定する。ここで、まだ用紙種Ｐとの比較が行なわれていない用紙セットがあると判定された場合には、Ｓ１０１３に進み、一方、ないと判定された場合には、Ｓ１０１１に進む。また、Ｓ１０１０において、用紙種Ｐと比較を行なう対象となる用紙セットがない場合にも、即ち、用紙セット生成部１９により図５に示すような情報が生成されていない場合にも、Ｓ１０１１に進む。
【００２６】
Ｓ１０１３において、用紙セット生成部１９は、図５に示す用紙セットから、まだ用紙種Ｐと比較を行っていない用紙セットを一つ取得する。ここで、取得された用紙セットを用紙セットＳとする。Ｓ１０１４において、用紙セット生成部１９は、用紙種Ｐの坪量と用紙セットＳの坪量とが同じであるか否かを判定する。その際には、図４に示すテーブルを参照して同じ範囲であれば、同じ坪量であると判定する。坪量が同じであると判定された場合には、Ｓ１０１５に進む。一方、異なる坪量であると判定された場合には、Ｓ１０１０に戻り、用紙種Ｐと他の用紙セットとの比較を行なう。
【００２７】
Ｓ１０１５において、用紙セット生成部１９は、用紙種Ｐの表面性と用紙セットＳの表面性とが同じであるか否かを判定する。ここで、同じであると判定された場合には、Ｓ１０１６に進む。一方、異なる表面性であると判定された場合には、Ｓ１０１０に戻り、用紙種Ｐと他の用紙セットとの比較を行なう。
【００２８】
Ｓ１０１６において、用紙セット生成部１９は、用紙種Ｐの形状と用紙セットＳの形状とが同じであるか否かを判定する。ここで、同じであると判定された場合には、Ｓ１０１７に進む。一方、異なる形状であると判定された場合には、Ｓ１０１０に戻り、用紙種Ｐと他の用紙セットとの比較を行なう。
【００２９】
Ｓ１０１７において、用紙セット生成部１９は、用紙種Ｐのサイズと用紙セットＳのサイズとが同じであるか否かを判定する。ここで、同じであると判定された場合には、Ｓ１０１８に進む。一方、異なるサイズであると判定された場合には、Ｓ１０１０に戻り、用紙種Ｐと他の用紙セットとの比較を行なう。
【００３０】
Ｓ１０１８において、用紙種Ｐを用紙セットＳに分類する。つまり、用紙種Ｐを含む新たな用紙セットＳに含まれる各用紙種は、印刷装置３において、同じプロセスにより画像形成制御することができる。Ｓ１０１８の処理の後、Ｓ１００８に戻り、他の用紙種を対象とする。
【００３１】
再び、Ｓ１０１０を参照する。Ｓ１０１０において、用紙種Ｐとの比較が行なわれていない用紙セットがないと判定された場合には、Ｓ１０１１において、用紙セット生成部１９は、新たな用紙セットを定義する。ここで、定義された新たな用紙セットを用紙セットＳ’とする。Ｓ１０１２において、用紙種Ｐを用紙セットＳ’として、Ｓ１００８に戻る。
【００３２】
以上のように、生成された印刷ジョブに指定された用紙種が全て用紙セットとして分類されたと判定された場合に、Ｓ１０１９に進み、用紙セット生成部１９は、図５に示すような用紙セット情報を生成する。
【００３３】
Ｓ１０２０において、第２ジョブチケット生成部１７は、生成された用紙セット情報から、丁合装置２に送信するためのジョブチケットを生成する（丁合ジョブ生成の一例）。Ｓ１０２１において、第１ジョブチケット生成部１６は、生成された用紙セット情報に対応して、印刷装置３に送信するための印刷ジョブチケットを更新する。印刷ジョブチケットの更新については後述するが、用紙種による指定が用紙セットによる指定に置き換えられる。
【００３４】
Ｓ１０２２において、ジョブ生成部１４は、丁合装置２への用紙設置手順を画面に表示する。用紙設置手順に従ってオペレータ７が丁合装置２へ用紙を設置すると、ジョブ生成部１４は、Ｓ１０２３において、Ｓ１０２０において生成されたジョブチケットを丁合装置２に送信する。丁合装置２においては、そのジョブチケットに従って処理されると、丁合装置２の各給紙段からの用紙が丁合いされて、各排紙段から用紙セットが排紙される（第１の制御の一例）。
【００３５】
Ｓ１０２４において、ジョブ生成部１４は、Ｓ１００５において取得した印刷装置３の給紙段情報に示す各給紙段に、条件を満たす各用紙セットを割り当てる。例えば、図６に示す印刷装置３の給紙段「Ｔｒａｙ−１」は、タブ紙非対応であり、かつ、大サイズに対応している。従って、その給紙段には、その対応条件を満たすように、Ａ３サイズの普通紙の用紙セットを割り当てる。また、印刷装置３の給紙段「ＯｐｔｉｏｎＴｒａｙ−２」はタブ紙に対応している。従って、その給紙段にはタブ紙の用紙セットを割り当てる。また、印刷装置３の給紙段「ＯｐｔｉｏｎＴｒａｙ−１」は、タブ紙と大サイズの両方に対応している。従って、タブ紙とＡ３サイズの用紙のいずれも割り当てることができる。条件を満たす給紙段数が該当する用紙セットの数より少ない場合に、一つの給紙段に複数の用紙セットを割り当てるようにしても良い。また、各給紙段に各用紙セットを割り当てる際に、図６に示す印刷面の情報を参照して、用紙セットを設置する向き（表向き、裏向き）を給紙段ごとに決定して割り当てる。
【００３６】
次に、Ｓ１０２５において、給紙段の割り当てを行なった結果、重複が発生したか否かを判定する。ここで、重複とは、一つの用紙セットが印刷装置３の２つの給紙段に割り当てられたような場合をいう。重複が発生したと判定された場合には、後述する印刷装置３への用紙登録は行わずに、Ｓ１０３１に進む。その場合に、オペレータ７は印刷装置３のパネル操作によって、印刷装置３への用紙登録を行う。一方、重複が発生しなかったと判定された場合には、更新された印刷ジョブに指定された全ての用紙セットが、印刷装置３の各給紙段に一意に割り当てられたということである。その場合には、Ｓ１０２６に進む。
【００３７】
Ｓ１０２６において、ジョブ生成部１４は、図７に示すような印刷装置３に登録する用紙セット登録情報を生成する（テーブル生成の一例）。Ｓ１０２７において、ジョブ生成部１４は、印刷装置３に生成された用紙セット登録情報を送信して登録する。
【００３８】
次に、Ｓ１０２８において、ジョブ生成部１４は、丁合装置２から丁合処理された用紙セットを印刷装置３の各給紙段に移動して設置する旨を指示する画面を表示する。
【００３９】
Ｓ１００７において、丁合装置２を用いないと判定された場合、即ち、印刷処理において用いられる用紙種の数が、印刷装置３の給紙段数以下である場合には、Ｓ１０２９において、印刷ジョブで指定された用紙種を印刷装置３に送信して登録する。その場合、上述のように、印刷装置３の各給紙段に用紙セットを割り当てるのではなく、図３に示すような用紙情報と図６に示すような給紙段情報を用いて、印刷装置３の各給紙段に用紙情報を割り当てる。Ｓ１０３０において、ジョブ生成部１４は、印刷装置３への用紙設置手順のみを画面に表示する。
【００４０】
Ｓ１０２８又はＳ１０３０におけるオペレータ７による設置が完了すると、ジョブ生成部１４は、Ｓ１０３１において、印刷ジョブチケットを印刷装置３に送信して印刷を実行させ（第２の制御の一例）、本処理を終了する。
【００４１】
［印刷ジョブと印刷ジョブチケット］
次に、本実施例における第１ジョブチケット生成部１６により生成される印刷ジョブチケットについて説明する。図９は、図８のＳ１００４において生成される印刷ジョブチケットの一例を示す図である。印刷ジョブチケットは、ＸＭＬで定義されるマークアップ言語を利用したテキスト・ドキュメントである。但し、図９は、説明上、簡易的な表現を用いており、ＸＭＬの仕様に厳密に従ったものではない。
【００４２】
図９に示す２行目では、本印刷ジョブチケットで指定するコンテンツがＶＤＰコンテンツを対象としており、１９ページ単位で１００レコード分の出力が繰り返されることを示している。また、３行目以降の記述は、その単位となる１９ページ分について記述している。
【００４３】
３行目から１３行目までは、印刷ページに対応する出力用紙種の指定を記述している。例えば、３行目は、１ページ目の印刷に用いられる用紙種のＩＤが「３」であることを指定している。ＩＤが「３」であるとは、図３に示すように「色紙１」を示す。また、４行目は、２ページ目から３ページ目までの印刷に用いられる用紙種のＩＤが「５」であることを示している。ＩＤが「５」であるとは、図３に示すように「ＰｒｅＰｒｉｎｔ紙１」を示す。以下、４行目〜１３行目も同様に、１ページあるいは複数のページの範囲に対応する用紙種が指定されている。
【００４４】
１４行目から２１行目までは、印刷レイアウトについての指定を記述している。例えば、１４行目は、１ページ目は片面印刷を行うことを指定している。また、１５行目は、２ページ目から３ページ目までは両面印刷を行うことを指定している。以下、１６行目〜２１行目も同様に、図２に示すような印刷設定となるように、ページごとに印刷レイアウトが指定されている。
【００４５】
２２行目は、パンチの指定を記述している。これは、図２に示す出力１１２に対応する記述である。２ページ目から１９ページ目までの範囲で左端をパンチする指示が記述されている。
【００４６】
２３行目と２４行目はそれぞれ、図２に示す出力１１３と１１４に対応する記述である。２３行目は、２ページ目から８ページ目までの範囲を左上角でステープルする指示を記述している。２４行目も同様に、１０ページ目から１５ページ目までを左上角でステープルする指示を記述している。２５行目は、図２に示す出力１１５に対応する記述である。これは、１５ページ目をＺ折りする指示を記述している。
【００４７】
図１０は、図８のＳ１０２１の処理により更新された印刷ジョブチケットの一例を示す図である。以下、図９と図１０との差分について説明する。
【００４８】
３行目から１３行目までの用紙種の指定が、用紙セットの指定に置き換えられる。例えば、３行目に指定されている用紙のＩＤは、「３」から「１００」に置き換えられる。同様に、図５に示す用紙セット情報に従って、用紙のＩＤが用紙セットのＩＤに置き換えられる。なお、図１０においては、置換の様子を平易に示すために、単に用紙のＩＤを用紙セットのＩＤに置き換えただけの印刷ジョブチケットを示している。しかしながら、連続して同じ用紙セットのＩＤの指定が続く場合には、それらを纏めて記述するようにしても良い。例えば、図１０における３行目から６行目までを纏めて、「＜Ｍｅｄｉａ  ｐａｇｅ＝”１￣６”  ｍｅｄｉａｉｄ＝”１００”／＞」と記述しても良い。図１０のその他の記述については、図９における説明と同じである。
【００４９】
次に、本実施例における第２ジョブチケット生成部１７により生成されるジョブチケットについて説明する。
【００５０】
図１１は、図８のＳ１０２０において生成されるジョブチケットの一例を示す図である。図１１に示す２行目は、本ジョブチケットで３行目から１４行目までで指定する丁合い処理を１００回分繰り返すことを示している。
【００５１】
３行目から順に、丁合装置２の給紙段と排紙段とを指定して、用紙を搬送して、所定の用紙セットを生成する指示を記述している。例えば、３行目は、７番目の給紙トレイから用紙を給紙し、１番目の排紙トレイにその用紙を排紙することを指示している。４行目は、４番目の給紙トレイから用紙を給紙し、１番目の排紙トレイにその用紙を排紙することを指示している。給排紙は、用紙反転することなく行われ、順に下から上へと用紙が積み上げられる形になる。
【００５２】
丁合装置２の１番目の給紙段には、図３に示すＩＤが「１」の用紙が設置される。２番目の給紙段には、図３に示すＩＤが「２」の用紙が設置される。以下、順にｎ段目の給紙段には、ＩＤが「ｎ」の用紙を設置する。この結果、丁合装置２が図１１の３行目から１４行目の記述に従った処理を行なうことによって、１番目の排紙段には、図５に示すＩＤが「１００」の用紙セットが排紙されることになる。以下、同様に、２番目から５番目の排紙段には、順にＩＤが「１０１」〜「１０４」の用紙セットが排紙される。
【００５３】
用紙反転されることなく下から上へと用紙が積み上げられるので、３行目から１０行目までで記述している給紙段の順序は、図５のＩＤが「１００」の用紙セットの用紙ＩＤリストの記載と逆順となる。
【００５４】
［ユーザインタフェース画面］
次に、情報処理装置１の画面に表示されるユーザインタフェース画面について説明する。図１２は、図８のＳ１０２２において表示される、丁合装置２に用紙を設置する旨を指示する画面の一例（第１の表示の一例）を示す図である。図１２において、表示２００は、４つの表示領域に分かれている。表示２０１は、丁合装置２の各給紙段に設置する用紙とその向きを表示する。一番左の第１列目には、設置する用紙名称が表示される。例えば、この名称は、図３に示す登録名称が表示される。第２列目には、その用紙を設置するトレイ名称が表示される。第３列目には、用紙を設置する際に表を上向きにして設置するか、裏を上向きにして設置するかが表示される。ユーザは、図１２に示す表示を確認して、所定の向きで所定の給紙段に各用紙を設置する。
【００５５】
表示２０２は、丁合装置２の給紙段を確認するために用いられる。ユーザは、この表示を確認することによって、表示２０１に示された各給紙段が丁合装置２のどの位置にあるかを認識することができる。表示２０３は、各用紙情報の詳細を表示する。ユーザは、表示２０１から任意の用紙を選択することにより、表示２０３において、その選択した用紙の詳細情報を確認することができる。図１２においては、ＰｒｅＰｒｉｎｔ紙１の詳細情報が表示されている。表示２０３は、図３に示す各用紙情報に基づいて表示する。
【００５６】
表示２０４は、用紙の表裏をプレビュー表示する。例えば、プレプリント紙などの表裏の別が重要な用紙について、ユーザは、いずれの面が表であるかを画面で確認することができる。表示２０１から任意の用紙を選択することにより、表示２０４において、その選択した用紙のプレビュー画面を確認することができる。このプレビュー表示については、図８のＳ１００２で取得された用紙情報に基づいて表示される。表示２０１に表示される設置の向きに合わせて、表示２０４にプレビュー表示される。
【００５７】
ユーザは、表示２００の表示に従って用紙の設置を完了すると、確認ボタン２０５を押下する。確認ボタン２０５が押下されると、図８のＳ１０２２からＳ１０２３に処理が進む。
【００５８】
図１３は、図８のＳ１０２８において情報処理装置の表示部に表示される丁合装置２から印刷装置３に用紙を移動する旨を表示する画面の一例（第２の表示の一例）を示す図である。図１３に示すように、表示３００は、３つの表示領域に分かれている。表示３０１は、丁合装置２の各排紙段を表示する。ユーザは、この表示を確認することによって、各排紙段が丁合装置２のいずれの位置にあるかを認識することができる。表示３０２は、丁合装置２と印刷装置３との間で用紙を移動するための情報を表示する。一番左の第１列目は、丁合装置２から用紙を取り出すトレイ名称を表示する。第２列目は、取り出した用紙セットの名称を表示する。第３列目は、取り出した用紙を印刷装置３に設置する際に、表裏を反転させるか否かを表示する。第４列目は、用紙を設置する印刷装置３の給紙トレイ名称が表示される。図１３に示すように、ＯｐｔｉｏｎＴｒａｙ−１とＯｐｔｉｏｎＴｒａｙ−２に設置する用紙については、設置時に用紙を反転する旨が表示されている。これは、図６の印刷装置３の給紙段情報に示すように、それらの給紙段から給紙された用紙は、裏面から印刷されるためである。表示３０３は、印刷装置３の給紙段を確認するための表示である。ユーザは、この表示を確認することによって、各給紙段が印刷装置３のいずれの位置にあるかを認識することができる。
【００５９】
ユーザは、表示３００の表示に従って用紙の移動を完了すると、確認ボタン３０４を押下する。確認ボタン３０４を押下すると、図８のＳ１０２８からＳ１０３１に処理が進む。
【００６０】
図８のＳ１０３０において表示される画面も、図１２に示す画面と同じである。但し、Ｓ１０３０において表示される場合には、表示２０２は、図１３の表示３０３のような印刷装置３の表示となる。ユーザが用紙の設置を完了して、確認ボタン２０５を押下すると、Ｓ１０３０からＳ１０３１に処理が進む。
【００６１】
以上のように、本実施例においては、印刷装置の給紙段数より多い複数種類の用紙種のうち画像形成制御が同じ用紙種を纏めた用紙セットの作成を、印刷ジョブを行なう処理と連携して自動的に行なう。その結果、ユーザは、印刷装置の給紙段への用紙の入替えを行なう必要がなく、負荷を低減することができる。さらに、ユーザに対する用紙設置の指示を図１２や図１３のように画面に表示することにより、用紙選択や設置の向きの間違いを軽減することができる。従来、ＶＤＰ印刷ジョブやインライン・フィニッシャを利用しようとする場合には、印刷出力後に丁合装置を使用することができないので、丁合いされた用紙セットの生成と印刷ジョブの処理とを連携して自動化できる本実施例の効果は大きい。
【００６２】
［実施例２］
実施例２については、実施例１との差異についてのみ説明する。本実施例においては、用紙セットを生成する必要のある用紙のみ丁合い処理を行う。つまり、複数の用紙種を用紙セットとして纏める場合にのみ、丁合装置２用のジョブチケットを生成する。また、それ以外の用紙セットについては、印刷装置３に直接、用紙を設置するようにユーザに表示する。
【００６３】
図１４は、本実施例における丁合装置２から印刷装置３に用紙を移動する旨を表示する画面の一例を示す図である。図１４に示すように、表示３１０は、５つの領域に分かれている。表示３０１は、丁合装置２の各排紙段を確認するための表示である。表示３１１は、印刷装置３に用紙を設置するための情報を表示する。図１３の表示３０２と同様に、丁合装置２から印刷装置３に用紙セットを移動する場合には、一番左の第１列目に丁合装置２の各排紙トレイ名称が表示される。用紙セットではなく、単一の用紙種をそのまま印刷装置の給紙トレイに設置する場合には、この列は空欄として表示される。つまり、図１４の例では、１列目の用紙セットのみが丁合装置から印刷装置へ運ばれ、第２〜４列目の用紙は印刷装置の給紙トレイに直接設置されることを示す。表示３０３は、印刷装置３の各給紙段を確認するための表示である。表示３１２は、用紙情報の詳細を表示する。丁合装置２から印刷装置３に移動する用紙セットでない場合には、図１２の表示２０３と同様に、ユーザは表示３１２により設置する用紙を確認する。表示３１３は、用紙の表裏をプレビュー表示する。丁合装置２から印刷装置３に移動する用紙セットでない場合には、図１２の表示２０４と同様に、ユーザは表示３１３により用紙の表裏を確認する。本実施例においては、図１４に示すように、図７に示すＩＤが「１００」の用紙セットのみを丁合装置２によって丁合い処理する。その他の用紙セットについては、丁合装置２を用いずに、直接、印刷装置３に設置する。
【００６４】
図１５は、本実施例における印刷ジョブの処理の手順を示すフローチャートである。また、図１５は、図８に対する差分のみを示している。図１５に示すフローチャートは、図８のＳ１００８以降の本実施例の処理を示す。まず、Ｓ１００８において、用紙セットとして分類されていない用紙種がないと判断されると、Ｓ１１００に進む。
【００６５】
Ｓ１１００において、用紙セット生成部１９は、用紙種の用紙セットへの分類結果から、単一の用紙種でのみ定義されている用紙セットを除去する。そして、Ｓ１１０１において、複数の用紙種で登録されている用紙セットのみで用紙セット情報を生成する。例えば、図５に示す例では、ＩＤが「１００」の用紙セットのみが複数の用紙種で構成されているため、Ｓ１１０１において生成される用紙セット情報となる。Ｓ１１０２において、第２ジョブチケット生成部１７は、複数の用紙種でのみ定義されている用紙セット情報から、丁合装置２用のジョブチケットを生成する。
【００６６】
Ｓ１１０３において、第１ジョブチケット生成部１６は、印刷装置３用の印刷ジョブチケットについて、複数の用紙種が登録されている用紙セットの記述についてのみ、実施例１において説明したように記述の更新を行なう。Ｓ１１０４において、ジョブ生成部１４は、丁合装置２に用紙を設置する手順を画面に表示する。オペレータ７による設置が完了すると、Ｓ１１０５において、ジョブ生成部１４は、生成されたジョブチケットを丁合装置２に送信する。
【００６７】
Ｓ１１０６において、ジョブ生成部１４は、Ｓ１００５において取得した印刷装置３の給紙段情報に従って、各給紙段に対して、その給紙段の条件を満たす各用紙セットを割り当てる。Ｓ１１０７において、給紙段の割り当てにおいて、重複が発生したか否かを判定する。重複が発生したと判定された場合に、Ｓ１０３１に進む。一方、重複が発生せず、全ての用紙セット及び用紙種が、印刷装置３の各給紙段に一意に割り当てることができたと判定された場合には、Ｓ１１０８に進む。さらに、各給紙段に用紙セットを割り当てる際に、図６に示す印刷面の情報を参照して、用紙セット及び用紙を設置する向き（表向き、裏向き）を給紙段毎に決定する。Ｓ１１０８において、ジョブ生成部１４は、図１６に示すような印刷装置３に登録する用紙セット登録情報を生成する。
【００６８】
Ｓ１１０９において、ジョブ生成部１４は、印刷装置３に用紙セット登録情報（図１６）を送信して登録する。Ｓ１１１０において、ジョブ生成部１４は、丁合装置２から印刷装置３への用紙の移動及び印刷装置３への用紙の設置手順を画面に表示する。
【００６９】
以上のように、本実施例においては、丁合装置２による丁合処理を行う対象の用紙種を変更している。その結果、実施例１に比べて、単一の用紙種のみで構成される用紙セットについては丁合装置２を用いて丁合処理を行わないので、丁合装置２の給紙段と排紙段とを有効に活用することができる。
【００７０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011198119.tif 000003
【図２】
2011198119.tif 000004
【図３】
2011198119.tif 000005
【図４】
2011198119.tif 000006
【図５】
2011198119.tif 000007
【図６】
2011198119.tif 000008
【図７】
2011198119.tif 000009
【図８】
2011198119.tif 000010
【図９】
2011198119.tif 000011
【図１０】
2011198119.tif 000012
【図１１】
2011198119.tif 000013
【図１２】
2011198119.tif 000014
【図１３】
2011198119.tif 000015
【図１４】
2011198119.tif 000016
【図１５】
2011198119.tif 000017
【図１６】
2011198119.tif 000018